(57)【要約】【課題】  迅速にキャビネットと引き出しの間に取り付け可能なスライドレールキットを提供する。【解決手段】  第一レール１０、第二レール１２、及び少なくとも一つの位置決め装置１４を備える。第一レール１０は、第一縦方向延伸部材１６を有する。第二レール１２は、第一レール１０に対して縦方向に移動し、尚且つ第二縦方向延伸部材２６を有する。第一縦方向延伸部材１６及び第二縦方向延伸部材２６の少なくとも一方には、取付孔５６が設けられている。位置決め装置１４は、支持部材６０及び固定部材６２を有する。支持部材６０は、横向きに移動可能に第一縦方向延伸部材１６及び第二縦方向延伸部材２６の少なくとも一方に連接されており、一部が横方向に取付孔５６に貫通している。固定部材６２は、支持部材６０を固定する。【選択図】  図１
0003190144.tif 000002
【実用新案登録請求の範囲】
【請求項１】
第一レール、第二レール、及び少なくとも一つの位置決め装置を備えるスライドレールキットであって、
前記第一レールは、第一縦方向延伸部材を有し、
前記第二レールは、第一レールに対して縦方向に移動し、尚且つ第二縦方向延伸部材を有し、
前記第一縦方向延伸部材及び前記第二縦方向延伸部材の少なくとも一方には、取付孔が設けられており、
前記位置決め装置は、支持部材及び固定部材を有し、
前記支持部材は、横向きに移動可能に前記第一縦方向延伸部材及び前記第二縦方向延伸部材の少なくとも一方に連接されており、一部が横方向に前記取付孔に貫通しており、
前記固定部材は、前記支持部材を固定することを特徴とするスライドレールキット。
【請求項２】
複数のボールと、
前記第一レールと前記第二レールとの間に位置するボール巣座とをさらに備え、
前記第二レールは、前記第一レールに対向し、前記ボール巣座の働きにより容易にスライド可能であることを特徴とする請求項１に記載のスライドレールキット。
【請求項３】
前記第一レールと前記第二レールとの間にスライド可能に設けられている第三レール、前記第一レールと前記第三レールとの間に設けられている第一ボール巣座、および、前記第二レールと前記第三レールとの間に設けられている第にボール巣座、をさらに備え、
前記第一ボール巣座は、前記第一レールと前記第三レールとの間に配置されている複数のボールを有し、
前記第三レールは、前記第一レールに相対し、前記第一ボール巣座の働きにより容易にスライド移動可能であり、
前記第二ボール巣座には、前記第二レールと前記第三レールとの間に配置されている複数のボールを有し、
前記第二レールは、前記第三レールに相対し、前記第二ボール巣座の働きにより容易にスライド移動可能であることを特徴とする請求項１に記載のスライドレールキット。
【請求項４】
前記支持部材は、ヘッド部、ボディ部、及び前記ヘッド部と前記ボディ部との間を連接する首部を有し、
前記首部は、前記取付孔を貫通可能であり、長さが前記取付孔の深さより長く形成されており、
前記支持部材は、前記第一縦方向延伸部材及び前記第二縦方向延伸部材の少なくとも一方に対して横向きに移動可能であることを特徴とする請求項１に記載のスライドレールキット。
【請求項５】
前記第一縦方向延伸部材及び前記第二縦方向延伸部材の少なくとも一方と前記支持部材との間に設置されている弾性部材をさらに備え、
前記支持部材は、前記弾性部材の弾力によって予定位置に位置することを特徴とする請求項１に記載のスライドレールキット。
【請求項６】
前記第一レールは、末端、スロット、及び、少なくとも一つのねじ部を有する連接座を有し、
前記連接座の前記スロットは、前記第一レールの前記末端を挿入するのに用いられることを特徴とする請求項１に記載のスライドレールキット。
【考案の詳細な説明】
【技術分野】
【０００１】
本考案は、スライドレールキットに関する。
【背景技術】
【０００２】
特許文献１に記載の発明では、ローラー（ｒｏｌｌｅｒｓ２４、４０）を用いて媒介物をスライドさせるスライドレールキットであり、キャビネット構成部材（ｃａｂｉｎｅｔ  ｍｅｍｂｅｒ  １４）及び引き出し構成部材（ｄｒａｗｅｒ  ｍｅｍｂｅｒ  ３８）をスライド可能にキャビネット構成部材（ｃａｂｉｎｅｔ  ｍｅｍｂｅｒ  １４）に連接させる。組み立てる時、一対のブッシュ（ｂｕｓｈｉｎｇｓ１６、１８）及び一対のねじ（ｓｃｒｅｗｓ２０Ａ、２０Ｂ）を用いてキャビネット構成部材（ｃａｂｉｎｅｔ  ｍｅｍｂｅｒ  １４）をキャビネット壁板（ｃａｂｉｎｅｔ  ｐａｎｅｌ  １２）上に螺着して定位させ、並びに、係合する引き出し構成部材（ｄｒａｗｅｒ  ｍｅｍｂｅｒ  ３８）を引き出し（ｄｒａｗｅｒ  ３６）の一方側に固定する。これにより、引き出し（ｄｒａｗｅｒ  ３６）は、引き出し構成部材（ｄｒａｗｅｒ  ｍｅｍｂｅｒ  ３８）とキャビネット構成部材（ｃａｂｉｎｅｔ  ｍｅｍｂｅｒ  １４）とをスライド可能に連結させることで、引き出し（ｄｒａｗｅｒ  ３６）はキャビネット壁板（ｃａｂｉｎｅｔ  ｐａｎｅｌ  １２）に対して簡単にスライドシフトできる。
【０００３】
特許文献１に開示されたローラー（ｒｏｌｌｅｒｓ  ２４、  ４０）形式のスライドレールキットは、引き出し（ｄｒａｗｅｒ  ３６）及びキャビネット壁板（ｃａｂｉｎｅｔ  ｐａｎｅｌ  １２）の比較的大きな組立て公差を許容するものである。家具製造業者にとっては、引き出し（ｄｒａｗｅｒ  ３６）及びキャビネット壁板（ｃａｂｉｎｅｔ  ｐａｎｅｌ  １２）の組立てにおいて、工業規格のような精密度が不要であるため、ローラー（ｒｏｌｌｅｒｓ  ２４、  ４０）形式のスライドレールキットは、家具産業界で幅広く応用されている。しかしながら、ローラー（ｒｏｌｌｅｒｓ）形式のスライドレールキットは荷重する重量が制限され、しかも公差を許容する事により、付加価値を高めるためにソフトクローズ（ｓｏｆｔ−ｃｌｏｓｉｎｇ）或いはプッシュオープン（ｐｕｓｈ−ｏｐｅｎ）等機能を結合させた構成にすることは難しい。
【０００４】
特許文献２に記載の発明では、スチールボール（ｂａｌｌ  ｂｅａｒｉｎｇｓ）をスライド媒介物としたスライドレールキットが開示された。この種のスチールボールを用いたスライドレールは高い精密度を備え、積載荷重が比較的重いという優位性があるため、徐々に消費者に受け入れられるようになった。更に、この種のスチールボールを用いたスライドレールはソフトクローズ（ｓｏｆｔ−ｃｌｏｓｉｎｇ）機能を選択的に付加することができ、これは、特許文献３の通りである。しかしながら、スチールボールを用いたスライドレールは精密度が高いという特性を有しているが、家具製造業者が生産する引き出し及びキャビネット間の組立て公差が、スチールボールを用いたスライドレールの許容公差を超えた時、スチールボールを用いたスライドレールは引き出しとキャビネット間の圧迫を受けることにより、却って引き出しにはスライドシフトのスムーズ性が損なわれてしまう。
【０００５】
特許文献４で開示されたスチールボールを用いたスライドレールは、少なくとも一つの固定部材（ｆｉｘｅｄ  ｍｅｍｂｅｒ  ５６）を横向きに固定するよう引き出しのスライドレールに取り付け、少なくとも一つの浮動部材（ｆｌｏａｔｉｎｇ  ｍｅｍｂｅｒ  ５４）を固定部材（ｆｉｘｅｄ  ｍｅｍｂｅｒ  ５６）に横方向にスライドさせる。この様な構成によって、この種のスチールボールを用いたスライドレールは引き出し及びキャビネット間の比較的大きな組立て公差を許容することができる。
【０００６】
しかしながら、特許文献４に開示された構成は、一旦、浮動部材（ｆｌｏａｔｉｎｇ  ｍｅｍｂｅｒ  ５４）の品質自体に例えば公差の過大や破損等の問題があった場合、浮動部材（ｆｌｏａｔｉｎｇ  ｍｅｍｂｅｒ  ５４）は固定部材（ｆｉｘｅｄ  ｍｅｍｂｅｒ  ５６）から脱落する心配が残り、しかも、一旦、浮動部材（ｆｌｏａｔｉｎｇ  ｍｅｍｂｅｒ  ５４）が固定部材（ｆｉｘｅｄ  ｍｅｍｂｅｒ  ５６）から脱落すると、スチールボールを用いたスライドレール全体の取付位置が元々許容していた引き出し及びキャビネット間の比較的大きな組立て公差を許容しなくなる可能性もある。
【先行技術文献】
【特許文献】
【０００７】
【特許文献１】米国特許第Ｕ．Ｓ．５，４５７，８６７号明細書
【特許文献２】米国特許第Ｕ．Ｓ．５，８９５，１０１号明細書
【特許文献３】米国特許第Ｕ．Ｓ．６，７１２，４３５Ｂ２号明細書
【特許文献４】米国特許公開案第Ｕ．Ｓ．２０１３／０１０６２７１Ａ１号明細書
【考案の概要】
【考案が解決しようとする課題】
【０００８】
本考案は、前述の問題に鑑みてなされたものであり、迅速にキャビネットと引き出しの間に取り付け可能なスライドレールキットを提供する。
【課題を解決するための手段】
【０００９】
本考案のスライドレールキットは、第一レール、第二レール、及び少なくとも一つの位置決め装置を備える。第一レールは、第一縦方向延伸部材を有する。第二レールは、第一レールに対して縦方向に移動し、尚且つ第二縦方向延伸部材を有する。第一縦方向延伸部材及び第二縦方向延伸部材の少なくとも一方には、取付孔が設けられている。位置決め装置は、支持部材及び固定部材を有する。支持部材は、横向きに移動可能に第一縦方向延伸部材及び第二縦方向延伸部材の少なくとも一方に連接されており、一部が横方向に取付孔に貫通している。固定部材は、支持部材を固定する。
【００１０】
本考案のスライドレールキットは、複数のボールと、第一レールと第二レールとの間に位置するボール巣座とをさらに備える。第二レールは、第一レールに対向し、ボール巣座の働きにより容易にスライド可能である。
【００１１】
本考案のスライドレールキットは、第一レールと第二レールとの間にスライド可能に設けられている第三レール、第一レールと第三レールとの間に設けられている第一ボール巣座、および、第二レールと第三レールとの間に設けられている第にボール巣座、をさらに備える。第一ボール巣座は、第一レールと第三レールとの間に配置されている複数のボールを有する。第三レールは、第一レールに相対し、第一ボール巣座の働きにより容易にスライド移動可能である。第二ボール巣座には、第二レールと第三レールとの間に配置されている複数のボールを有する。第二レールは、第三レールに相対し、第二ボール巣座の働きにより容易にスライド移動可能である。
【００１２】
本考案のスライドレールキットでは、支持部材は、ヘッド部、ボディ部、及びヘッド部とボディ部との間を連接する首部を有する。首部は、取付孔を貫通可能であり、長さが取付孔の深さより長く形成されている。支持部材は、第一縦方向延伸部材及び第二縦方向延伸部材の少なくとも一方に対して横向きに移動可能である。
【００１３】
本考案のスライドレールキットは、第一縦方向延伸部材及び第二縦方向延伸部材の少なくとも一方と支持部材との間に設置されている弾性部材をさらに備える。支持部材は、弾性部材の弾力によって予定位置に位置する。
【００１４】
本考案のスライドレールキットでは、第一レールは、末端、スロット、及び、少なくとも一つのねじ部を有する連接座を有する。連接座のスロットは、第一レールの末端を挿入するのに用いられる。
【００１５】
本考案のスライドレールキットは、横方向の移動が可能であるように支持部材に連結し、支持部材は横方向の範囲内を移動するため、組立て公差を補うシフト量を有する効果を有する。
【図面の簡単な説明】
【００１６】
【図１】本考案の一実施形態によるスライドレールキットを示す分解斜視図である。
【図２】本考案の一実施形態によるスライドレールキットを示す斜視図である。
【図３】図２のＡ−Ａ線断面図である。
【図４】本考案の一実施形態による三段階式のスライドレールキットを示す断面図である。
【図５】本考案の一実施形態によるスライドレールキットを引き出しとキャビネットとの間に取り付けた状態を示す模式図である。
【考案を実施するための形態】
【００１７】
（一実施形態）
図１及び図２に示した本考案の一実施形態によるスライドレールキットは、第一レール１０、第二レール１２、及び少なくとも一つの位置決め装置１４を備える。
【００１８】
第一レール１０は、第一縦方向延伸部材１６を有する。第一縦方向延伸部材１６は、第一壁１８と、第一壁１８に向き合う第二壁２０と、第一壁１８及び第二壁２０の間に連接する底壁２２を有する。底壁２２は、第一壁１８、第二壁２０と共に通路２４を形成する。
【００１９】
第一レール１０に対する第二レール１２は縦方向に移動する。本実施形態においては、第二レール１２は第一レール１０の通路２４にスライド可能な状態で連結される。第二レール１２は、第二縦方向延伸部材２６を有し、第二縦方向延伸部材２６は、上壁２８と、上壁２８に向き合う下壁３０と、上壁２８と下壁３０の間に連接する中壁３２とを有する。これにより、第二レール１２は第一レール１０に相対し縦方向に移動する。好ましくは、第一レール１０は、末端３４と、スロット３８及び少なくとも一つのねじ部４０を有する連接座３６を有する。連接座３６のスロット３８は第一レール１０の末端３４を挿入するものである。これにより、連接座３６のねじ部４０を用いて、第一レール１０をキャビネット（未図示）に固定することができる。
【００２０】
図３は、図２のＡ−Ａ断面図を示した図である。最も好ましくは、複数のボール４４を有するボール巣座４２をさらに備える。ボール巣座４２は第一レール１０と第二レール１２の間に位置し、第二レール１２は第一レール１０に相対し、ボール巣座４２の働きによって容易にスライド移動することができる。これは即ち、二段階式のスチールボールを用いたスライドレールキットである。また、図４に示すとおり、本実施形態ではさらに第三レール４６を備える。第三レール４６は、スライド可能な状態で第一レール１０と第二レール１２とを連結する。第一ボール巣座４８は第一レール１０と第三レール４６の間に複数のボール５０を有し、これにより、第三レール４６は第一レール１０に相対し第一ボール巣座４８によって簡単にスライド移動する。また、第二ボール巣座５２は第二レール１２と第三レール４６の間に位置する複数のボール５４を有し、これにより第二レール１２は第三レール４６に相対し、第二ボール巣座５２によって簡単にスライド移動する。これは即ち、三段階式のスチールボールを用いたスライドレールキットである。
【００２１】
本実施形態において、第一レール１０の第一縦方向延伸部材１６の底壁２２及び第二レール１２の第二縦方向延伸部材２６の中壁３２の何れにも少なくとも一つの取付孔５６が設けられ、並びに、第一縦方向延伸部材１６の底壁２２及び第二縦方向延伸部材２６の中壁３２には何れも少なくとも一つの位置決め装置１４が取り付けられる。少なくとも一つの位置決め装置１４は支持部材６０及び固定部材６２を含む。支持部材６０の一部は横向きに取付孔５６を貫通し、固定部材６２は支持部材６０の一部に連結し固定する。具体的に説明すると、固定部材６２の外側には複数の逆鈎形状の環状骨６４が設けられている。固定部材６２と支持部材６０を連結し固定させる手段は、螺着、リベット接合、或いはその他の類似手段である。
【００２２】
支持部材６０は、ヘッド部６６、ボディ部６８、及びヘッド部６６とボディ部６８との間を連接する首部７０を有する。首部７０は取付孔５６に対応し、首部７０は、長さＳが取付孔５６の深さＬより長く形成されている。支持部材６０は第一縦方向延伸部材１６及び第二縦方向延伸部材２６に対して横向きに移動可能である。ここで注意すべき点であるが、図面に示した第一縦方向延伸部材１６及び第二縦方向延伸部材２６にはいずれにも位置決め装置１４が取り付けられているが、これに制限されないものとする。位置決め装置１４は第一縦方向延伸部材１６或いは第二縦方向延伸部材２６のいずれか一つに取り付けてもよく、主な目的は、支持部材６０をスライドレールキットに対して横向きに移動させることにある。
【００２３】
最も好ましくは、位置決め装置１４のいずれにもさらに弾性部材７２ａ、弾性部材７２ｂ備える。弾性部材７２ａおよび弾性部材７２ｂは、第一縦方向延伸部材１６及び第二縦方向延伸部材２６と支持部材６０との間に設置される。これにより、支持部材６０は、弾性部材７２ａ、弾性部材７２ｂの弾力によって予定位置に位置する。弾性部材７２ａ、弾性部材７２ｂは、バネ片等であり、バネ或いはその他の類似の弾性体を圧縮することにより、支持部材６０を予定位置に維持することができる。
【００２４】
図５に示した本考案の一実施形態によるスライドレールキットは、第一レール１０の位置決め装置１４の固定部材６２及び第二レール１２の位置決め装置１４の固定部材６２をそれぞれキャビネット７４と引き出し７６の間に取り付けた状態を示す図である。キャビネット７４と引き出し７６の間に組立て公差が生じる時、スライドレールキットの位置決め装置１４の固定部材６２は、取付孔５６を貫通した支持部材６０に連結し固定されており、支持部材６０は、横向きに動作できるよう第一縦方向延伸部材１６及び第二縦方向延伸部材２６に連結しているため、固定部材６２は支持部材６０の働きを受けて横向きに範囲内を移動し、組立て公差を補うシフト量ｄを提供する。
【００２５】
固定部材６２は、実際には支持部材６０と固着し一体であり、好ましい構造強度を有するため、固定部材６２の品質不良及び積載不可能による変形や破損で支持部材６０から脱落する心配を防ぐことができる。これにより、スライドレールキットは、取り付け位置で比較的大きな組立て公差を保つことができ、ボール巣座４２のボール４４は、ころがり移動する際のスムーズ性を維持することができる。
【００２６】
本考案は既に前述の一実施形態を用いて開示したが、それは本考案に制約を加えるものではなく、よって、本考案の保護される範囲は実用新案登録請求の範囲を基準とすることをここに明記する。
【符号の説明】
【００２７】
１０  第一レール
１２  第二レール
１４  位置決め装置
１６  第一縦方向延伸部材
１８  第一壁
２０  第二壁
２２  底壁
２４  通路
２６  第二縦方向延伸部材
２８  上壁
３０  下壁
３２  中壁
３４  末端
３６  連接座
３８  スロット
４０  ねじ部
４２  ボール巣座
４４  ボール
４６  第三レール
４８  第一ボール巣座
５０  ボール
５２  第二ボール巣座
５４  ボール
５６  取付孔
６０  支持部材
６２  固定部材
６４  環状骨
６６  ヘッド部
６８  ボディ部
７０  首部
７２ａ  弾性部材
７２ｂ  弾性部材  
７４  キャビネット
７６  引き出し  
Ｓ  長さ
Ｌ  深さ
ｄ  シフト量
【図１】
0003190144.tif 000003
【図２】
0003190144.tif 000004
【図３】
0003190144.tif 000005
【図４】
0003190144.tif 000006
【図５】
0003190144.tif 000007